(57)【要約】【課題】姿勢によりレンズ群が重力方向に移動してしまうレンズ鏡筒でも、所望の焦点距離調節位置、あるいは焦点調節位置を確実に維持できるレンズ鏡筒を提供することにある。また全長可変型のレンズ鏡筒では、レンズ鏡筒の姿勢により前群のレンズ群が重力方向に移動し、全長が伸びた状態となってしまうことを防ぐレンズ鏡筒を提供することにある。【解決手段】任意の位置で操作ツマミを操作することにより、２つの保持部材がズーム操作環に設けたフランジ部を挟み込み、ズーム操作環を固定保持することが可能なズームロック機構を有したレンズ鏡筒とした。【選択図】図２
2016157029.tif 000002
【特許請求の範囲】
【請求項１】
光軸周りに回転する操作環を有するレンズ鏡筒であって、固定鏡筒と、円環状のフランジ部を有し光軸周りに回転可能な操作部材と、該操作部材のフランジ部に当接する当接部を有し光軸方向に移動可能な第１の保持部材と、該第１の保持部材が当接するフランジ部の光軸方向の反対面に当接する当接部を有する光軸方向に移動可能な第２の保持部材と、該第１の保持部材と該第２の保持部材を引き寄せる方向に引張り力を有するバネ部材と、光軸中心から方線方向に回転軸を有し、回転させることにより該バネ部材の引張り力に反し、該第１の保持部材と該第2の保持部材の光軸方向の位置をそれぞれ反対方向に移動させる可変幅部を有する作用軸部材と、を有することを特徴とするレンズ鏡筒。
【請求項２】
該固定鏡筒は、第１の保持部材と、第２の保持部材を光軸方向に移動可能にガイド、保持しつつ、該作用軸部材を光軸中心から方線方向に回転可能に保持する嵌合孔を有することを特徴とする請求項１に記載のレンズ鏡筒。
【請求項３】
該作用軸部材が回転することにより該第１の保持部材の当接部と、該第２の保持部材の当接部が、該操作部材のフランジ部を挟み込むように当接することを特徴とする請求項１又は請求項２に記載のレンズ鏡筒。
【請求項４】
該作用軸部材は回転位置を保持するための回転位置保持手段を有していることを特徴とする請求項１乃至請求項３の何れか一項に記載のレンズ鏡筒。
【請求項５】
該作用軸部材の可変幅部は回転量に応じて、該第１の保持部材と、該第２の保持部材の光軸方向の位置を徐々に変化させることを特徴とする請求項１乃至請求項４の何れか一項に記載のレンズ鏡筒。
【請求項６】
円環状のフランジ部を有し光軸周りに回転可能な該操作部材は、該フランジ部の一部が、操作可能な回転域外で該第１の保持部材、または該第２の保持部材の一方の当接部を貫通する切り欠き部が設けられていることを特徴とする請求項１乃至請求項５の何れか一項に記載のレンズ鏡筒。
【発明の詳細な説明】
【技術分野】
【０００１】
本発明は、焦点距離調節、または焦点調節を手動で行うための回転式の操作環を有するレンズ鏡筒に関する。
【背景技術】
【０００２】
従来、カムの動作、あるいはヘリコイドの動作等によりレンズ群を移動させ、レンズ群が移動することにより焦点調節、焦点距離調節を手動で行うため、光軸中心周りに回転する操作環を有するレンズ鏡筒がある。更に移動するレンズ群の重量が大きい場合には、撮影時の姿勢によりレンズ群が重力に引っ張られ、所望の焦点距離位置、または焦点位置を維持できない場合があった。
【０００３】
また前群が繰り出し群となっているレンズ鏡筒をカメラに取り付けたままカメラ側のストラップ等で吊り下げて携行する際、重量のバランスによりレンズ鏡筒の前群が下向きになる姿勢となりやすい。そのためレンズ鏡筒を短縮していたとしてもやはり同様に重力により前群が繰り出された状態になってしまうことがあり、不用意にレンズ鏡筒の前群をぶつけてしまう懸念があった。
【０００４】
レンズの移動群が重力により引っ張られ位置が移動してしまうことを防ぐために、移動群が係合しているいくつかの箇所の摩擦負荷を上げることが一般的であるが、その場合は通常の撮影時にも摩擦負荷に抗して操作する必要があり、操作性が犠牲となっていた。
【０００５】
特許文献１では、フォーカス操作部材と一体となっている作動用のカム部材と、外部のズーム操作部材を所望の位置で締結固定するロックつまみを設けたことにより、所望の撮影状態位置を保持することとしている。また特許文献２では、操作部材の短縮位置で係合するロック手段を設けることにより、レンズ鏡筒短縮時の位置を固定保持することとしている。
【０００６】
前記に挙げた対応策の例は一部であるが、その他ネジ部材の回転等で回転する操作部自体を圧接し摩擦を与えて位置を保持するような構造が一般的にある。
【先行技術文献】
【特許文献】
【０００７】
【特許文献１】特開２０１０−２１７３２１号公報
【特許文献２】特開平１０−１０４４９５号公報
【発明の概要】
【発明が解決しようとする課題】
【０００８】
しかしながら、特許文献１に表される構成では、外周に配置されているズームリングに、内部のフォーカスリングの回転角に合わせた開口部を設ける必要があり、開口部からのゴミや水滴の侵入の懸念がある。また回転角に合わせた比較的広い開口部を設けることとなり、衝撃を受けた場合の鏡筒の変形等の懸念もある。更には操作位置を確実に保持するためにはネジ部材であるロックつまみを多回転する必要もあり、迅速性に欠けるという課題もある。
【０００９】
また特許文献２の構成に表される構成では、レンズ鏡筒をカメラに取り付けての携行時には効果を示すが、レンズ鏡筒の全長短縮時のみであり、撮影時に撮影者の所望の位置で焦点距離調節位置や焦点調節位置を維持することはできない。ズーム操作リングの保持位置である切り欠き部の箇所を多数設けることで、保持する焦点距離調節位置を複数選択できるようになるが、無段階ではないため撮影者の所望位置で固定することにはならない。
【００１０】
本発明の目的は、姿勢によりレンズ群が重力方向に移動してしまうレンズ鏡筒でも、所望の焦点距離調節位置、あるいは焦点調節位置を確実に維持できるレンズ鏡筒を提供することにある。また全長可変型のレンズ鏡筒では、レンズ鏡筒の姿勢により前群のレンズ群が重力方向に移動し、全長が伸びた状態となってしまうことを防ぐレンズ鏡筒を提供することにある。
【課題を解決するための手段】
【００１１】
上記の目的を達成するために請求項１の本発明は、光軸周りに回転する操作環を有するレンズ鏡筒であって、固定鏡筒と、円環状のフランジ部を有し光軸周りに回転可能な操作部材と、該操作部材のフランジ部に当接する当接部を有し光軸方向に移動可能な第１の保持部材と、該第１の保持部材が当接するフランジ部の光軸方向の反対面に当接する当接部を有する光軸方向に移動可能な第２の保持部材と、該第１の保持部材と該第２の保持部材を引き寄せる方向に引張り力を有するバネ部材と、光軸中心から方線方向に回転軸を有し、回転させることにより該バネ部材の引張り力に反し、該第１の保持部材と該第2の保持部材の光軸方向の位置をそれぞれ反対方向に移動させる可変幅部を有する作用軸部材と、を有するレンズ鏡筒としたことにより、作用軸部材を回転し第１の保持部材と第２の保持部材を光軸方向に移動させ、操作部材に設けられたフランジ部に当接させるようにしたものである。
【００１２】
また請求項２の本発明では、該固定鏡筒は、第１の保持部材と、第２の保持部材を光軸方向に移動可能にガイド、保持しつつ、該作用軸部材を光軸中心から方線方向に回転可能に保持する嵌合孔を有することを特徴とする請求項１記載のレンズ鏡筒とすることにより、第１の保持部材と第２の保持部材を光軸方向に直進移動可能に保持しつつ、更に同時に作用軸部材も回転可能に保持したものである。
【００１３】
更に請求項３の本発明では、該作用軸部材が回転することにより該第１の保持部材の当接部と、該第２の保持部材の当接部が、該操作部材のフランジ部を挟み込むように当接することを特徴とした請求項１、２記載のレンズ鏡筒としたことにより、少ない移動量、力で十分な摩擦保持を可能にしたものである。
【００１４】
また請求項４の本発明では、該作用軸部材は回転位置を保持するための回転位置保持手段を有していることを特徴とした請求項１、２、３記載のレンズ鏡筒としたことにより、作用軸部材の回転位置を維持し該操作環を任意の位置で保持できるようにしたものである。
【００１５】
更に請求項５の本発明では、該作用軸部材の可変幅部は回転量に応じて、該第１の保持部材と、該第２の保持部材の光軸方向の位置を徐々に変化させることを特徴とした請求項１、２、３、４記載のレンズ鏡筒としたことにより、該操作環のフランジ部への第１、第２の保持部材の摩擦を徐々に増し、保持部材を適当な操作感とすることを可能にしたものである。
【００１６】
更にまた請求項６の本発明では、円環状のフランジ部を有し光軸周りに回転可能な該操作部材は、該フランジ部の一部が、操作可能な回転域外で該第１の保持部材、または該第２の保持部材の一方の当接部を貫通する切り欠き部が設けられていることを特徴とした請求項１、２、３、４、５記載のレンズ鏡筒としたことにより、操作部材を使用回転域外で組込み、使用位置に移動させるため容易に組付け作業を行えるようにしたものである。
【発明の効果】
【００１７】
本発明によれば、姿勢によりレンズ群が重力方向に移動してしまうレンズ鏡筒でも、所望の焦点距離調節位置、あるいは焦点調節位置を確実に維持できるレンズ鏡筒を実現できるという効果がある。また全長可変型のレンズ鏡筒では、レンズ鏡筒の姿勢により前群のレンズ群が重力方向に移動し、全長が伸びた状態となってしまうことを防ぐレンズ鏡筒を実現できるという効果がある。
【図面の簡単な説明】
【００１８】
【図１】本発明を実施したレンズ鏡筒の断面図
【図２】本発明を実施したレンズ鏡筒の部分分解斜視図
【図３】本発明を実施したレンズ鏡筒の部分構成斜視図
【図４】本発明を実施したレンズ鏡筒の部分構成平面図
【図５】本発明を実施したレンズ鏡筒の操作環動作状態の部分断面図
【図６】本発明を実施したレンズ鏡筒の操作環動作状態の部分平面図
【図７】本発明を実施したレンズ鏡筒の操作環固定状態の部分断面図
【図８】本発明を実施したレンズ鏡筒の操作環固定状態の部分平面図
【発明を実施するための形態】
【００１９】
以下、本発明の好ましい形態の実施について図を参照しながら説明する。図１は本発明を実施したレンズ鏡筒の断面図、図２はレンズ鏡筒の部分分解斜視図、図３は部分構成斜視図、図４は構成部品の内周側を示す部分構成平面図である。更に図５は操作環動作状態の部分断面図、図６は操作環動作状態の部分平面図、図７は操作環固定状態の部分断面図、図８は操作環固定状態の部分平面図である。
［実施例］
図１においてレンズ鏡筒は、不図示であるカメラ本体に取り付くためのマウント２を有しており、マウント２にはカメラ本体とレンズ鏡筒の通信のためのコネクタ２６が構成されている。マウント２はマウントリング３を挟みつつ固定筒１にビスによって取り付けられ、固定筒１は案内筒４にビスによって固定されている。
【００２０】
案内筒４の外径には、カム筒５が嵌合しており、さらにバヨネット係合することにより光軸位置を保持したまま定位置回転する構造となっている。またカム筒５の外径には直進筒６が不図示である１群コロにより保持され、さらに直進筒６には１群レンズを含む１群鏡筒９が保持されている。直進筒６はカム筒５の回転により、光軸方向に直進移動する。
【００２１】
案内筒４の内径には２群移動筒１０が不図示であるカムフォロワにより保持され、さらに２群移動筒１０内径にはフォーカスカム環１１がやはり不図示であるカムフォロワにより保持されている。さらにまたフォーカスカム環１１内径には２群レンズを含む２群鏡筒１２が一体的に保持されている。カム筒５の回転により２群移動筒１０は回転しつつ光軸方向にも移動し、またフォーカスカム環１１は２群移動筒１０内周部に取り付けられた不図示であるカムフォロワと係合し回転することにより、自身のフォーカスカム１１ａに沿って光軸方向にも移動する。
【００２２】
案内筒４の内径にはまたサブカム筒８が、案内筒４とカム筒５に不図示であるカムフォロワが係合することにより保持され、カム筒５の回転によりサブカム筒８が回転しつつ光軸方向に進退するようになっている。
【００２３】
サブカム筒８の内径には３群レンズを含む３群鏡筒１３が不図示であるカムフォロワにより保持され、サブカム筒８が回転移動することにより、サブカム筒８の光軸方向の移動量と同量直進移動する。また３群鏡筒１３には３群鏡筒１３の直進移動により開口径が変化するように構成された副絞りユニット１４ｂと、一体的に構成された絞りユニット１４ａが取り付けられ、この図１では不図示であるフレキシブル印刷配線板により制御基板２７に接続されている。
【００２４】
さらにサブカム筒８の内径には４群移動筒１５がやはり不図示であるカムフォロワにより保持され、サブカム筒８に設けられたカムと案内筒４に設けられた直進溝とに係合することにより、サブカム筒８の移動と合成された量を光軸方向に移動する。また４群移動筒１５には４群連絡筒１６が保持され、さらに４群連絡筒１６には４群レンズを含む４群鏡筒１７が固定されている。
【００２５】
案内筒４にはさらにフォーカスユニットベース３０が保持され、フォーカスユニットベース３０は振動波モーターを含むフォーカス駆動ユニットの本体部品として構成されている。ここではフォーカス駆動ユニット内の構成説明は割愛する。
【００２６】
固定筒１の外径側にはズーム操作環２４が固定筒１と嵌合をとりつつバヨネット結合され、定位置回転が行えるようになっている。またズーム操作環２４に一体的に取り付けられた不図示であるズームキーが固定筒１の回転領域を制限する当接部に当接することにより回転領域を制限されており、ズーム操作環２４は決められた回転領域のみで回転することが可能となっている。
【００２７】
フォーカスユニットベース３０の１群鏡筒側にはフォーカス操作環２１が配置され、フォーカスユニットベース３０に固定された不図示である定位置コマと係合することにより定位置回転する。更にフォーカス操作環２１はマニュアル連絡環３１と回転方向に係合し、フォーカス操作環２４を手動操作することによりマニュアル連絡環３１を回転させることが可能である。更にフォーカスユニットベース３０の１群鏡筒側先端には補強リング１９を挟持しつつフロントリング１８と化粧リング２０が固定されている。
【００２８】
図２は本発明を実施したズーム操作環の回転位置を固定するズームロック機構の部分分解斜視図、図３は一部の部品を外した状態の部分構成斜視図、図４は一部の構成部品の裏側を示す部分構成平面図である。
【００２９】
図２、図３において、固定筒１にはズームロック機構の各部品を配置、保持するためのズームロック機構保持部１ａを有し、第1の保持部材５１、第２の保持部材５２がそれぞれ光軸方向に移動可能に配置されている。また第1の保持部材５１、第２の保持部材５２は２つの引張りバネ５５によりお互いが引き合う方向に引張り力が働いている。更に５３は作用軸部材であり、ズームロック機構保持部１ａの軸嵌合部１ｂに回転自在に保持され、可変幅部５３ａが第1の保持部材５１、第２の保持部材５２のそれぞれ付勢部５１ｂ、５２ｂを付勢している。可変幅部５３ａは角度位相方向でその幅を異ならせているため、作用軸部材５３の回転位置により、可変幅部５３ａが第１の保持部材５１と第２の保持部材５２の光軸方向の位置を可変させることが可能となっている。
【００３０】
作用軸部材５３はズームロックパネル５０を挟んでロックツマミ５４と係合部５３ｂにより回転係合しており、更に作用軸部材５３とロックツマミ５４は連結ビス５７により一体的に結合されている。
【００３１】
図４にはズームロックパネル５０の内周側の構成を示している。作用軸部材５３に設けられた回転規制係合部５３ｅと、ロックパネル５０の裏面に一体的に設けられた回転規制部５０ａにより、作用軸部材５３の回転範囲が制限されている。またズームロックパネル５０は、クリックバネ保持部５０ｂにクリックバネ５６が保持されており、作用軸部材５３のクリックバネ係合部５３ｄと係合することにより回転軸部材５３の回転位置を付勢し保持するようになっている。
【００３２】
図５に操作環動作状態の部分断面図、図６に固定筒１を外した状態で内周面から見た操作環動作状態の部分平面図を示す。ズーム操作環２４にはフランジ部２４ａが設けられており、第１の保持部材５１と第２の保持部材５２のそれぞれの当接部５１ａと５２ａがフランジ部を挟む形で配置される。フランジ部２４ａにはズーム操作環２４の回転使用範囲外に切り欠き部２４ｂが設けられているため、固定筒１上の不図示であるバヨネットと同時に回転使用範囲外から第１の保持部材５２の当接部５２ａを通し、使用範囲に回転移動させる。
【００３３】
次に、撮影者がレンズ鏡筒のズーム動作を行ったとき（ズーム操作環２４が操作された場合）の動作について説明する。
【００３４】
図１においてズーム操作環２４によって操作されると、回転力は不図示であるズームキーを介しカム筒５へ伝達され、カム筒５はバヨネット結合している案内筒４の外径で定位置回転する。またカム筒５の外径には直進筒６が１群コロ７により保持され、さらに直進筒６には１群レンズを含む１群鏡筒９が保持されているため、１群鏡筒９はカム筒５の回転により、光軸方向に直進移動する。
【００３５】
案内筒４の内径には２群移動筒１０が不図示であるカムフォロワにより保持され、さらに２群移動筒１０内径にはフォーカスカム環１１がやはり不図示であるカムフォロワにより保持されている。さらにまたフォーカスカム環１１内径には２群レンズを含む２群鏡筒１２が一体的に保持されている。カム筒５の回転により案内筒４に設けられた不図示であるカムに沿って２群移動筒１０は回転しつつ光軸方向にも移動する。ここでキー係合部品２８がフォーカスキー３６と係合しているため、フォーカスカム環１１と一体的に保持されている２群鏡筒１２はフォーカスカム１１ａの移動量に従って光軸方向位置を直進移動する。
【００３６】
案内筒４の内径にはまたサブカム筒８が、案内筒４に設けられたカムとカム筒５に設けられたカムに対し不図示であるカムフォロワが係合することにより保持され、カム筒５の回転によりサブカム筒８が回転しつつ光軸方向に進退するようになっている。サブカム筒８の内径には３群レンズを含む３群鏡筒１３が、案内筒４に設けられたカムとカム筒５に設けられた直進溝に対し不図示であるカムフォロワにより保持され、サブカム筒８が回転移動することにより、サブカム筒８の光軸方向の移動量と同量直進移動する。
【００３７】
３群鏡筒１３に、絞りユニット４ａとともに一体的に固定された副絞りユニット１４ｂは案内筒４に設けられたカムにより３群鏡筒１３の直進移動により開口径が変化し、不要光束をカットしている。
【００３８】
さらにサブカム筒８の内径には４群移動筒１５が、やはり不図示であるカムフォロワにより保持され、サブカム筒８に設けられたカムと案内筒４に設けられた直進溝とに係合することにより、サブカム筒８の移動と合成された量を光軸方向に移動する。また４群移動筒１５には４群連絡筒１６が保持され、さらに４群連絡筒１６には４群レンズを含む４群鏡筒１７が固定されている。さらに４群移動筒１５には３群鏡筒１３に保持されたスプリングユニット５０のスライダー５０ｂが当接し、可動範囲全域において３群鏡筒１３と４群移動筒１５が離れる方向に付勢力を働かせることにより、カムとカムフォロワの間の嵌合ガタを取り除いている。
【００３９】
前記ズーム操作環２４の回転動作により、１群鏡筒９、２群鏡筒１２、３群鏡筒１３、４群鏡筒１７はそれぞれ互いの間隔を変えつつ直進移動し、焦点距離を変化させることが可能となっている。
【００４０】
次にズームロック機構について動作を説明する。図５、図６は前述の通りズーム操作環２４の動作状態の部分断面図、及び一部の部品を外し内周面から見た部分平面図である。図５、図６においてロックツマミ５４の回転位置は一体となっている作用軸部材５３の可変幅部５３ａの短幅方向が作用する位置となっている。第１の保持部材５１と第２の保持部材５２は引張りバネ５５により互いに引き寄せられているため第１の保持部材５１と第２の保持部材５２のそれぞれの当接部５１ａと５２ａはズーム操作環２４のフランジ部２４ａから離反する方向に位置することになる。この状態ではズーム操作環２４は作動回転範囲において自由に操作することが可能となっている。
【００４１】
図７、図８は撮影者がズーム操作環２４の回転位置を固定しようとした場合の部分断面図、及び一部の部品を外し内周面から見た部分平面図となっている。撮影者がアンロック状態である図５、図６の状態から、図７、図８の状態にロックツマミ５４を操作すると、一体となっている作用軸部材５３の可変幅部５３ａの長辺方向が作用する位置となる。第１の保持部材５１と第２の保持部材５２は引張りバネ５５により互いに引き寄せられているため第１の保持部材５１と第２の保持部材５２のそれぞれの当接部５１ａと５２ａはズーム操作環２４のフランジ部２４ａを挟み込む位置に移行する。従ってズーム操作環２４は回転位置を固定され、レンズ鏡筒の姿勢により重力が掛ったとしてもズーム位置が不用意に移動してしまうことはない。
【００４２】
次に、撮影者がフォーカス操作環２１を操作したときの動作について改めて説明する。フォーカス操作環２１は、フォーカスユニットベース３０の外径で定位置回転する構造となっており、撮影者がフォーカス操作環２１を回転させ、合焦位置を変化させることが可能である。フォーカス操作環２１の回転力は、フォーカス駆動ユニットの差分作動機構を介してフォーカスキー３６を回転させる。フォーカスキー３６はキー係合部材２８を介して、フォーカスカム環１１に一体的に保持された２群鏡筒を、フォーカスカム１１ａに沿って回転移動させ、他のレンズ群に対し間隔を変化させることで合焦位置を調節可能としている。
【００４３】
次に、撮影者が撮像装置1を操作し、カメラからの駆動情報に基づいて、オートフォーカスでフォーカス駆動ユニットが動作するときのレンズの動作について説明する。フォーカス駆動ユニット内には、振動波モーターが構成されており、カメラ本体からの信号により、レンズ鏡筒内で演算処理された信号によって振動波モーターを駆動する。振動波モーターの回転力は、差分作動機構を介してフォーカスキー３６を回転させる。
【００４４】
以下、撮影者がフォーカス操作環２１を回転させたときと同様の作用により、合焦レンズ群である２群鏡筒１２がフォーカスカム環１１に設けられたフォーカスカム１１ａに沿って回転進退し、自動合焦を行う。ズームロック機構の説明において、本実施例では焦点距離調節を行うためのズーム操作環を用いたが、これは焦点調節機構であるフォーカス操作環に配置しても同様の機能を発揮する。また作用軸部材５３の可変幅部５３ａは短辺方向、長辺方向の二つの幅として説明しているが、これは短辺方向から長辺方向へ徐々に幅を可変させるカム形状であってもよい。
【００４５】
更に本実施例では各部品の材質については言及していないが、例えば第１の保持部材５１と第２の保持部材５２の当接部５１ａ、５２ａに摩擦部材となる弾性部材を付加しても、より固定効果を上げることが可能である。
【符号の説明】
【００４６】
１  固定筒、１ａ  ズームロック機構保持部、１ｂ  軸嵌合部、２  マウント、
３  マウントリング、４  案内筒、５  カム筒、６  直進筒、８  サブカム筒、
９  1群鏡筒、１０  ２群移動筒、１１  フォーカスカム環、１３ａ  フォーカスカム、１２  ２群鏡筒、１３  ３群鏡筒、１３ａ  保持部、１４ａ  絞りユニット、
１４ｂ  副絞りユニット、１４ｃ  フレキシブル印刷配線板、１５  ４群移動筒、
１５ａ  当接部、１６  ４群連絡環、１７  ４群鏡筒、１８  フロントリング、
１９  補強リング、２０  化粧リング、２１  フォーカス操作環、
２２  フォーカスゴム、２３  目盛窓、２４  ズーム操作環、２４a  フランジ部、
２４ｂ  切り欠き部、２５  ズームゴム、２６  コネクタ、２７  制御基板、
２８  キー係合部品、３０  フォーカスユニットベース、３１  マニュアル連絡環、
３６  フォーカスキー、５０  ズームロックパネル、５０ａ  回転規制部、
５０ｂ  クリックバネ保持部、５１  第1の保持部材、５１ａ  当接部、
５１ｂ  付勢部、５２  第2の保持部材、５２ａ  当接部、５２ｂ  付勢部、
５３  作用軸部材、５３ａ  可変幅部、５３ｂ  係合部、５３ｃ  連結ビス用タップ、
３ｄ  クリックバネ係合部、５３ｅ  回転規制係合部、５４  ロックツマミ、
５５  引張りバネ、５６  クリックバネ、５７  連結ビス、５８  ビス
【図１】
2016157029.tif 000003
【図２】
2016157029.tif 000004
【図３】
2016157029.tif 000005
【図４】
2016157029.tif 000006
【図５】
2016157029.tif 000007
【図６】
2016157029.tif 000008
【図７】
2016157029.tif 000009
【図８】
2016157029.tif 000010